(57)【要約】【課題】利用者が先に提示した電子マネー端末が残金不足であっても、他の電子マネー端末に十分な残金がある場合には、先の電子マネー端末に代えて他の電子マネー端末で決算処理を行い、ジョブの実行を可能にする。【解決手段】画像形成装置１は、電子マネー端末２０と非接触で電子マネー情報の送受信を行う電子マネー情報読取装置８と、ジョブの実行を制御するジョブ制御部１１と、ジョブを実行することによる金額を計算する金額計算部１２と、その金額に基づき、電子マネー端末２０に記録されている電子マネーでの決済処理を行い、ジョブ制御部１１にジョブの実行を行わせる決済処理部１３とを備える。決済処理部１３は、電子マネー情報読取装置８が先に読み取った電子マネー端末の残金が計算された金額に満たない場合、別の電子マネー端末での決済処理を行ってからジョブ制御部１１にジョブの実行を開始させる。【選択図】図３
2010170443.tif 000002
【特許請求の範囲】
【請求項１】
電子マネーを記録した電子マネー端末と非接触で電子マネー情報の送受信を行う電子マネー情報読取手段と、
指定されたジョブの実行を制御するジョブ制御手段と、
前記ジョブ制御手段が指定されたジョブを実行することによる金額を計算する金額計算手段と、
前記金額計算手段で計算された金額に基づき、前記電子マネー情報読取手段を介して電子マネー端末に記録されている電子マネーでの決済処理を行い、前記ジョブ制御手段にジョブの実行を行わせる決済処理手段と、
を備え、
前記決済処理手段は、前記電子マネー情報読取手段が先に読み取った電子マネー端末の残金が前記金額計算手段で計算された金額に満たない場合、別の電子マネー端末での決済処理を行ってから前記ジョブ制御手段に指定されたジョブの実行を開始させることを特徴とする画像形成装置。
【請求項２】
前記電子マネー情報読取手段が先に読み取った電子マネー端末の残金が前記金額計算手段で計算された金額に満たない場合、当該電子マネー端末の識別情報に関連づけてジョブを記憶する記憶手段をさらに備え、
前記ジョブ制御手段が、前記電子マネー情報読取手段が先に読み取った電子マネー端末の残金が前記金額計算手段で計算された金額に満たないと判断した場合、前記ジョブ制御手段が、前記記憶手段に実行中のジョブを保存することを特徴する請求項１記載の画像形成装置。
【請求項３】
前記ジョブ制御手段は、前記電子マネー情報読取手段が読み取った電子マネー端末の識別情報に基づいて、前記記憶手段に保存されたジョブが存在するか否かを検索し、ジョブが存在する場合には前記記憶手段からそのジョブを読み出し、
前記決済処理手段は、前記ジョブ制御手段が前記記憶手段からジョブを読み出した場合、その読み出したジョブの実行に要する金額を、別の電子マネー端末により決済処理を行ってから前記ジョブ制御手段に読み出したジョブの実行を開始させることを特徴とする請求項２記載の画像形成装置。
【請求項４】
各種情報を表示可能であり、且つ、各種情報を入力可能な操作パネルをさらに備え、
前記ジョブ制御手段は、前記電子マネー情報読取手段が読み取った電子マネー端末の識別情報に基づいて前記記憶手段に保存されたジョブが存在するかを検索した結果、複数のジョブが存在する場合、前記操作パネルに対して複数のジョブのうちから実行するジョブを選択するための選択画面を表示し、前記操作パネルからの選択入力に基づいて複数のジョブのうちの一のジョブを前記記憶手段から読み出すことを特徴とする請求項３記載の画像形成装置。
【請求項５】
前記電子マネー情報読取手段は、同時に複数の電子マネー端末から非接触でそれぞれの電子マネー情報を読み取ることが可能であり、
前記ジョブ制御手段は、前記電子マネー情報読取手段が同時に読み取った複数の電子マネー端末のうちの一の電子マネー端末の識別情報に基づいて前記記憶手段に保存されたジョブの読み出しを行い、
前記決済処理手段は、前記一の電子マネー端末とは異なる別の電子マネー端末により前記ジョブ制御手段が読み出したジョブの実行に要する金額の決済処理を行うことを特徴とする請求項３又は４記載の画像形成装置。
【請求項６】
前記決済処理手段は、別の電子マネー端末が複数存在する場合、電子マネー端末毎の決済額を設定し、複数の電子マネー端末のそれぞれから設定された決済額の決済処理を行うことを特徴とする請求項１乃至５のいずれかに記載の画像形成装置。
【請求項７】
画像形成装置において、電子マネーを記録した電子マネー端末から非接触で決済処理を行う決済処理方法であって、
電子マネー情報読取手段を介して電子マネー端末から電子マネー情報を読み取る工程と、
指定されたジョブを実行することによる金額を計算する工程と、
計算された金額に基づき、前記電子マネー情報読取手段を介して電子マネー端末に記録されている電子マネーでの決済処理を行う工程と、
前記決済処理が完了してからジョブの実行を開始する工程と、
を有し、
前記決済処理を行う工程は、前記電子マネー情報読取手段が先に読み取った電子マネー端末の残金が計算された金額に満たない場合、別の電子マネー端末での決済処理を行うことを特徴とする画像形成装置における決済処理方法。
【発明の詳細な説明】
【技術分野】
【０００１】
本発明は、決済処理を行ってからジョブを実行する画像形成装置および画像形成装置における決済処理方法に関する。
【背景技術】
【０００２】
近年、ＩＣカードや携帯電話機などに電子マネー情報を記録した電子マネー端末が普及している。このような電子マネー端末は、非接触で電子マネー情報の読み取り、決済処理を行うことができるので、利便性に優れている。例えば、電子マネー端末は、プリペイド方式により予めチャージされた電子マネーを記録しており、商品購入時やサービス利用時には非接触で代金相当分の電子マネーが減算されることにより決済が行われる。電子マネー端末に記録された電子マネーの残高が代金相当分の金額に満たない場合、商品を購入することはできず、またサービスを利用することもできない。この場合、利用者は、電子マネー端末に対して電子マネーを再チャージすることが必要となり、電子マネーの残高が代金相当分以上の金額になれば、商品の購入やサービスの利用が可能になる。
【０００３】
電子マネー端末に電子マネーをチャージする方法としては、例えば、チャージ端末を利用し、チャージ端末に対して実際に入金を行うことにより、そのチャージ端末が入金された金額分を電子マネー端末にチャージする方法や、利用者の預金口座から引き落とすことにより、その引き落とし額に相当する金額分を電子マネー化してチャージする方法とがある。
【０００４】
従来、コンビニエンスストアなどに設置される複合機やＭＦＰ（Multi Function Peripheral）と呼ばれる画像形成装置は、決済処理を行ってから印刷処理などのジョブを実行するように構成されている。また、このような画像形成装置において電子マネーによる決済を行うものも知られている（例えば特許文献１）。この先行技術では、電子マネーが決済可能であるかといった電子マネーの適正を判定し、適正でない場合には適正な電子マネーの送付を促すように構成されている。
【先行技術文献】
【特許文献】
【０００５】
【特許文献１】特開２００２−４２０２１号公報
【発明の概要】
【発明が解決しようとする課題】
【０００６】
ところで、画像形成装置を利用する場合、カラー印刷とモノクロ印刷のいずれで印刷するか、或いは印刷枚数が何枚であるかといった種々の要素で決済額が決定する。そのため、画像形成装置において非接触式且つプリペイド方式の電子マネー端末による決済処理を行う場合、決済処理の前に決済額を算出することが必要不可欠であり、例えば画像形成装置において原稿のコピーを行う場合には、電子マネー端末で決済処理を行う前に、印刷モードの設定や原稿の全ページの読み取り動作を完了する必要がある。そして決済額を算出した場合には、次の印刷処理を開始する前に、電子マネー決済を完了する必要がある。印刷完了後に決済処理を行うこととすると、悪意ある利用者が電子マネー端末による決済を行うことなく、印刷された出力用紙を持ち去る可能性があるからである。
【０００７】
一方、画像形成装置において非接触式且つプリペイド方式の電子マネー端末による決済処理を行う場合、決済の段階で電子マネー端末の残金が不足していることが生じ得る。その原因は、電子マネー端末はそれ単体では電子マネーの残高を利用者が確認することができない、或いは確認しづらいことによる。そのため、原稿の読み取り操作を行った後、決済処理を行うために電子マネー端末を読取装置にかざした時点ではじめて電子マネーの残高不足に気づくこともある。このような場合、利用者は、電子マネー端末に電子マネーを再チャージしてから再度電子マネー端末を読取装置にかざすことが必要である。
【０００８】
しかしながら、利用者が残金不足の電子マネー端末に対して直ちに電子マネーをチャージすることができない場合もある。例えば、画像形成装置の設置環境にチャージ端末が設置されていない場合、或いは利用者がチャージのための現金を所持していない場合には、残金不足の電子マネー端末にあらたな電子マネーをチャージすることができない。それ故、最初にかざした電子マネー端末では決済処理が行われず、画像形成装置において印刷ジョブが開始されないので、ジョブが停止する。
【０００９】
ところが、このような場合でも利用者が最初にかざした電子マネー端末とは別の電子マネー端末を所持していることもある。この別の電子マネー端末に十分な残高がある場合、利用者はこの別の電子マネー端末で画像形成装置を利用しようとするが、先の印刷ジョブは別の電子マネー端末では実行させることができないため、一旦停止中のジョブを破棄した後、再度、印刷モードの設定や原稿の全ページの読み取りを行うための操作を行う必要があり、別の電子マネー端末で画像形成装置を利用する際の操作性が悪くなるという問題がある。
【００１０】
そこで本発明は、上記課題を解決することを目的としてなされたものであり、利用者が先に提示した電子マネー端末が残金不足であっても、他の電子マネー端末に十分な残金がある場合には、先の電子マネー端末に代えて他の電子マネー端末で決算処理を行うことにより、利便性を向上させることができる画像形成装置、および、その画像形成装置における決済処理方法を提供するものである。
【課題を解決するための手段】
【００１１】
上記目的を達成するため、請求項１にかかる発明は、画像形成装置１であって、電子マネーを記録した電子マネー端末と非接触で電子マネー情報の送受信を行う電子マネー情報読取手段と、指定されたジョブの実行を制御するジョブ制御手段と、前記ジョブ制御手段が指定されたジョブを実行することによる金額を計算する金額計算手段と、前記金額計算手段で計算された金額に基づき、前記電子マネー情報読取手段を介して電子マネー端末に記録されている電子マネーでの決済処理を行い、前記ジョブ制御手段にジョブの実行を行わせる決済処理手段とを備え、前記決済処理手段は、前記電子マネー情報読取手段が先に読み取った電子マネー端末の残金が前記金額計算手段で計算された金額に満たない場合、別の電子マネー端末での決済処理を行ってから前記ジョブ制御手段に指定されたジョブの実行を開始させることを特徴としている。
【００１２】
また請求項２にかかる発明は、請求項１記載の画像形成装置において、前記電子マネー情報読取手段が先に読み取った電子マネー端末の残金が前記金額計算手段で計算された金額に満たない場合、当該電子マネー端末の識別情報に関連づけてジョブを記憶する記憶手段をさらに備え、前記ジョブ制御手段が、前記電子マネー情報読取手段が先に読み取った電子マネー端末の残金が前記金額計算手段で計算された金額に満たないと判断した場合、前記ジョブ制御手段が、前記記憶手段に実行中のジョブを保存することを特徴している。
【００１３】
また請求項３にかかる発明は、請求項２記載の画像形成装置において、前記ジョブ制御手段は、前記電子マネー情報読取手段が読み取った電子マネー端末の識別情報に基づいて、前記記憶手段に保存されたジョブが存在するか否かを検索し、ジョブが存在する場合には前記記憶手段からそのジョブを読み出し、前記決済処理手段は、前記ジョブ制御手段が前記記憶手段からジョブを読み出した場合、その読み出したジョブの実行に要する金額を、別の電子マネー端末により決済処理を行ってから前記ジョブ制御手段に読み出したジョブの実行を開始させることを特徴としている。
【００１４】
また請求項４にかかる発明は、請求項３記載の画像形成装置において、各種情報を表示可能であり、且つ、各種情報を入力可能な操作パネルをさらに備え、前記ジョブ制御手段は、前記電子マネー情報読取手段が読み取った電子マネー端末の識別情報に基づいて前記記憶手段に保存されたジョブが存在するかを検索した結果、複数のジョブが存在する場合、前記操作パネルに対して複数のジョブのうちから実行するジョブを選択するための選択画面を表示し、前記操作パネルからの選択入力に基づいて複数のジョブのうちの一のジョブを前記記憶手段から読み出すことを特徴としている。
【００１５】
また請求項５にかかる発明は、請求項３又は４記載の画像形成装置において、前記電子マネー情報読取手段は、同時に複数の電子マネー端末から非接触でそれぞれの電子マネー情報を読み取ることが可能であり、前記ジョブ制御手段は、前記電子マネー情報読取手段が同時に読み取った複数の電子マネー端末のうちの一の電子マネー端末の識別情報に基づいて前記記憶手段に保存されたジョブの読み出しを行い、前記決済処理手段は、前記一の電子マネー端末とは異なる別の電子マネー端末により前記ジョブ制御手段が読み出したジョブの実行に要する金額の決済処理を行うことを特徴としている。
【００１６】
また請求項６にかかる発明は、請求項１乃至５のいずれかに記載の画像形成装置において、前記決済処理手段は、別の電子マネー端末が複数存在する場合、電子マネー端末毎の決済額を設定し、複数の電子マネー端末のそれぞれから設定された決済額の決済処理を行うことを特徴としている。
【００１７】
また請求項７にかかる発明は、画像形成装置において、電子マネーを記録した電子マネー端末から非接触で決済処理を行う決済処理方法であって、電子マネー情報読取手段を介して電子マネー端末から電子マネー情報を読み取る工程と、指定されたジョブを実行することによる金額を計算する工程と、計算された金額に基づき、前記電子マネー情報読取手段を介して電子マネー端末に記録されている電子マネーでの決済処理を行う工程と、前記決済処理が完了してからジョブの実行を開始する工程とを有し、前記決済処理を行う工程は、前記電子マネー情報読取手段が先に読み取った電子マネー端末の残金が計算された金額に満たない場合、別の電子マネー端末での決済処理を行うことを特徴としている。
【発明の効果】
【００１８】
本発明の画像形成装置および画像形成装置の決済処理方法によれば、利用者によって先に提示された電子マネー端末が残金不足であっても、その後に提示される他の電子マネー端末に十分な残金がある場合には、先の電子マネー端末に代えて後に提示される電子マネー端末で決算処理を行い、指定されたジョブの実行を開始するので、操作性が良く、利便性を向上させることができる。
【図面の簡単な説明】
【００１９】
【図１】本発明の一実施形態である画像形成装置の外観構成を示す図である。
【図２】電子マネー決済を行うためのシステム構成を示す図である。
【図３】画像形成装置の機能構成を示すブロック図である。
【図４】利用者が原稿のコピーを行う場合の設定画面が表示された操作パネルを示す図である。
【図５】画像形成装置において実行される処理手順のメインルーチンの一例を示すフローチャートである。
【図６】第１ジョブ実行処理の詳細な処理手順の一例を示すフローチャートである。
【図７】第２ジョブ実行処理の詳細な処理手順の一例を示すフローチャートである。
【図８】他のカードからの決済処理の詳細な処理手順の一例を示すフローチャートである。
【図９】カード変更処理の詳細な処理手順の一例を示すフローチャートである。
【図１０】ジョブを実行するのに要する金額が算出された場合の金額表示画面の一例を示す図である。
【図１１】利用者によって提示されたＩＣカードが残金不足であった場合のエラー画面の一例を示す図である。
【図１２】ＩＣカードの識別情報に関連づけられた複数のジョブが保存されている場合のジョブ選択画面の一例を示す図である。
【図１３】ジョブ読み出し後に提示されたＩＣカードが残金不足であった場合の案内画面の一例を示す図である。
【図１４】複数のＩＣカードが提示された場合のＩＣカード毎の残金情報表示画面の一例を示す図である。
【図１５】ジョブに関連づけて記憶するＩＣカードを変更する場合の操作案内画面の一例を示す図である。
【発明を実施するための形態】
【００２０】
以下、本発明に関する好ましい実施形態について図面を参照しつつ詳細に説明する。尚、以下に説明する実施形態において互いに共通する部材には同一符号を付しており、それらについての重複する説明は省略する。
【００２１】
図１は、本発明の一実施形態である画像形成装置１の外観構成を示す図である。この画像形成装置１は、例えばコンビニエンスストアなどに設置され、利用者に対してコピーサービスやスキャナサービス、プリントサービス、ＦＡＸ送信サービスなどを提供するものであり、一般には複合機やＭＦＰなどと呼ばれる装置である。この画像形成装置１は、装置本体の上部に原稿の画像を読み取るスキャナ部２を備えており、このスキャナ部２のさらに上部には複数枚の原稿をセットすることが可能な自動原稿搬送装置（以下、ＡＤＦという。）３が設けられている。ＡＤＦ３はセットされる複数枚の原稿を１枚ずつ取り出してスキャナ部２に搬送することができる。但し、画像形成装置１は必ずしもＡＤＦ３を要するものではなく、ＡＤＦ３を具備しない構成であっても構わない。
【００２２】
画像形成装置１は、スキャナ部２の正面側に利用者が操作可能な操作パネル４を備えている。操作パネル４は、利用者に対して各種情報を表示するための表示部４ａと、利用者が操作して各種情報を入力するための操作キー４ｂとを備えている。表示部４ａは、液晶ディスプレイなどで構成され、利用者に対して画像形成装置１の利用金額や操作案内画面などを表示するように構成されている。操作キー４ｂは、表示部４ａの画面上に配置されたタッチパネルキーと、表示部４ａの周囲に配置された押しボタンキーとから構成されている。
【００２３】
画像形成装置１の装置本体下部には、用紙に画像形成を行って出力するプリンタ部５と、プリンタ部５に対して出力用紙を１枚ずつ供給する給紙部６とが設けられている。例えば画像形成装置１のコピーサービスやプリントサービスなどを利用する場合には、プリント出力時にプリンタ部５と給紙部６とが作動して印刷処理が行われる。尚、本実施形態におけるプリンタ部５はカラー画像を印刷することが可能なように構成されている。
【００２４】
また画像形成装置１の上部側面には、図１に示すよう棚部７が設けられている。この棚部７には、電子マネー情報を記録したＩＣカードや携帯電話機などの電子マネー端末から、非接触で電子マネー情報を読み取ることが可能な電子マネー情報読取装置８が設けられている。電子マネー情報読取装置８は、画像形成装置１の利用時に利用者が所持する電子マネー端末から利用料相当額を決済するためのものである。この電子マネー情報読取装置８は上部に読取部８ａを有しており、画像形成装置１の利用者が電子マネー端末を読取部８ａにかざすことにより、電子マネー情報読取装置８が電子マネー端末に記録されている電子マネー情報を読み取ることが可能となり、また電子マネー端末に記録される電子マネー情報を書き換えることができるようになる。また本実施形態における電子マネー情報読取装置８は、同時に複数の電子マネー端末から電子マネー情報を読み取ることが可能なものである。
【００２５】
そして本実施形態の画像形成装置１は、利用者が所持する電子マネー端末に記録されている電子マネーの残金が十分にある場合には、その電子マネー端末に記録されている電子マネーでの決済処理を行い、利用者によって指定されたジョブを実行する。
【００２６】
図２は、電子マネー決済を行うためのシステム構成を示す図である。図２に示すように、画像形成装置１は、通信網９を介して電子マネーを管理する事業者のサーバ装置５０と接続されている。電子マネー情報読取装置８は、利用者によって電子マネー端末がかざされると、その電子マネー端末に割り当てられている個別の識別情報と、記録されている電子マネー情報（残金情報など）とを読み取り、画像形成装置１の本体に対して出力する。画像形成装置１は、電子マネー情報読取装置８から識別情報と電子マネー情報とを入力すると、電子マネー端末の真偽を確認するため、サーバ装置５０にアクセスし、利用者によってかざされた電子マネー端末の真偽を問い合わせる。そしてサーバ装置５０は自身が保持しているデータベースを検索し、適正な電子マネー端末であると判断した場合、その旨を画像形成装置１に返答する。画像形成装置１は、利用者によってかざされた電子マネー端末が適正な端末であることが判ると、利用者によって指定されたジョブを実行するのに要する金額分の残金がその電子マネー端末にあるかを判断し、十分な残金がある場合に決済処理を行い、電子マネー情報読取装置８に対して金額引き落としの命令を送出する。これに伴い、電子マネー情報読取装置８は、読取部８ａにかざされている電子マネー端末の電子マネー残金を減算し、電子マネー情報を書き換える。電子マネー端末の電子マネー情報が書き換えられると、画像形成装置１は、サーバ装置５０に対して決済処理を行ったことを通知し、利用者によって指定されたジョブを実行することでサービスを提供する。
【００２７】
図３は、画像形成装置１の機能構成を示すブロック図である。図３に示すように、画像形成装置１は、全体制御部１０と、表示制御部１４と、操作検知部１５と、記憶部１６とを有している。全体制御部１０は、ハードウェアとしてはＣＰＵやメモリなどで構成され、ＣＰＵが所定のプログラムを実行することによって実現される制御手段である。この全体制御部１０は、利用者によって指定されたジョブの実行を制御するジョブ制御部１１と、そのジョブの実行に要する金額を計算する金額計算部１２と、金額計算部１２によって計算された金額分の電子マネー決済を行う決済処理部１３として機能する。表示制御部１４は、操作パネル４における表示部４ａの表示画面を制御するものであり、ジョブ制御部１１からの指示に基づいて画面データを生成し、表示部４ａに出力する。操作検知部１５は、操作パネル４の操作キー４ｂからの入力を検知するものであり、利用者が操作キー４ｂを操作すると、操作検知部１５はその操作を検知し、ジョブ制御部１１に出力する。記憶部１６は、例えばハードディスクや半導体メモリなどによって構成される記憶手段であり、利用者がかざした電子マネー端末２０の識別情報１７と関連づけてジョブ情報１８を記憶するように構成されている。尚、図３に示すように、スキャナ部２およびＡＤＦ３は画像読取部を構成しており、またプリンタ部５および給紙部６は画像形成部を構成している。
【００２８】
ジョブ制御部１１は、操作検知部１５が検知する利用者の操作内容に基づいて画像形成装置１で実行すべきジョブを設定する。以下、利用者が画像形成装置１を利用して原稿のコピーを行う場合を例に挙げて説明する。
【００２９】
図４は、利用者が原稿のコピーを行う場合の設定画面が表示された操作パネル４を示す図である。表示部４ａにはコピー設定画面２１が表示されており、このコピー設定画面２１には部数設定欄２１ａと、原稿設定欄２１ｂと、カラー設定欄２１ｃと、出力用紙設定欄２１ｄとが表示されている。部数設定欄２１ａは、例えばコピー部数を設定入力するための欄であり、例えば操作キー４ｂに含まれるテンキー３１を操作することにより、部数設定欄２１ａの設定を行う。図例では部数が「１」に設定されている場合を例示している。原稿設定欄２１ｂは、読み取り対象の原稿設定を行う欄であり、例えば画面上のキーを操作することにより、片面原稿及び両面原稿のうちいずれか一方を選択して設定する。図例では原稿設定が「片面」に設定されている場合を例示している。カラー設定欄２１ｃは、印刷時にカラー印刷を行うか或いはモノクロ印刷を行うかを設定する欄であり、図例では「モノクロ」が設定されている場合を例示している。出力用紙設定欄２１ｄは、出力用紙のサイズ及び出力用紙への印刷形態を設定する欄であり、図例では「Ａ４」サイズが選択され、出力形態として「片面（１ｉｎ１）」が選択されている場合を例示している。尚、コピー設定画面２１には、これら以外の設定欄が含まれていても良い。また図４に示すスタートキー３２は利用者が設定したジョブの実行を指示するキーであり、ストップキー３３はジョブの実行を強制的に停止させるキーである。またキャンセルキー３４は一度入力したジョブの設定状態をクリアするためのキーである。尚、これらのキーもまた操作キー４ｂに含まれるものである。
【００３０】
利用者が図４のようなコピー設定画面２１に基づいてジョブの設定操作を行った後、スタートキー３２を押下すると、ジョブ制御部１１は、そのジョブの設定に基づいて画像読取部を制御し、ＡＤＦ３にセットされた原稿を１枚ずつスキャナ部２に搬送して原稿の画像読み取り動作を開始する。原稿の画像読み取り動作は全ての原稿の読み取りが完了するまで繰り返し行われる。ジョブ制御部１１が、画像読取部を制御することにより全ての原稿の読み取り動作が完了すると、ジョブ制御部１１はジョブの実行を一旦停止させ、読み取った原稿の枚数や、ジョブの設定情報を金額計算部１２に出力する。
【００３１】
そして全体制御部１０では金額計算部１２が機能し、利用者に課金すべき金額を算出する。金額計算部１２は、コピー部数、原稿読み取り面、カラー又はモノクロ設定、出力形態などのジョブの設定情報と、読み取った原稿枚数とに基づいて、ジョブの実行に伴い、利用者に課金すべき金額を計算する。例えば、コピー部数が「２」であり、原稿が「両面原稿（２面）」であり、出力形態が「片面（２ｉｎ１）」であって、読み取った原稿枚数が８枚であった場合、印刷用紙などに印刷する出力枚数（より厳密には出力する面の数）は、２×２×１／２×８＝１６の計算式により、１６枚となる。金額計算部１２は、この出力枚数と、カラー印刷及びモノクロ印刷のそれぞれに設定されている課金単価とを乗算し、その結果求められる値を利用者に課金すべき金額として算出する。例えば、モノクロ印刷の課金単価が１０円である場合、出力枚数が１６枚であれば、課金すべき金額は１６０円となる。尚、上述した計算式は単なる一例であり、上記以外の計算式を採用しても良い。
【００３２】
金額計算部１２は、読み取った原稿の画像を印刷出力するのに要する金額を算出すると、その金額をジョブ制御部１１に出力し、ジョブ制御部１１は操作パネル４にその金額を表示させるように制御する。また金額計算部１２は、算出した金額を決済処理部１３に出力する。
【００３３】
決済処理部１３は、電子マネー情報読取装置８が読み取ったＩＣカード２０ａや携帯電話機２０ｂなどの電子マネー端末２０が適正な端末であるかを、上述したサーバ装置５０との通信を行うことによって把握する。そして適切な端末であることが把握できた場合、決済処理部１３は、電子マネー情報読取装置８が読み取った電子マネー情報の残金が、金額計算部１２によって算出された金額以上であるか否かを判断し、決済可能であれば、決済処理を行う。この決済処理では、例えば電子マネー情報読取装置８に対して算出金額分の電子マネーの引き落とし処理を行うように指令する。これにより、電子マネー情報読取装置８は、利用者が読取部８ａにかざしている電子マネー端末２０に記録されている電子マネー情報の残金を減額して書き換える。そして決済処理が適切に完了すると、決済処理部１３は、その旨をジョブ制御部１１に通知する。これにより、ジョブ制御部１１は、画像形成部を作動させ、読み取った原稿の画像データをプリンタ部５に出力して印刷を開始する。
【００３４】
一方、電子マネー情報読取装置８が読み取った電子マネー端末２０に記録されている電子マネー情報の残金が算出金額未満である場合、決済処理を行うことができないため、決済処理部１３は、ジョブ制御部１１に電子マネー端末２０の残金が不足していることを通知する。これにより、ジョブ制御部１１は、操作パネル４に対して電子マネーのチャージを促す画面を表示させる制御を行うと共に、印刷出力を開始することなく現在停止している実行中のジョブを記憶部１６に記憶して保存する。このとき、ジョブ制御部１１は、電子マネー情報読取装置８が読み取った電子マネー端末２０の識別情報１７に関連づけて現在のジョブに関するジョブ情報１８を記憶部１６に保存する。
【００３５】
画像形成装置１においてジョブの実行に伴う決済処理を行うことができなった場合、決済できなかった電子マネー端末２０の識別情報１７と関連づけて現在のジョブをジョブ情報１８として保存することにより、画像形成装置１を次の利用者に開放することができる。また先の利用者が金額の不足していた電子マネー端末２０に電子マネーをチャージすることができた場合、その電子マネー端末２０を電子マネー情報読取装置８にかざせば、画像形成装置１は、その識別情報に基づいて前回実行されなかったジョブを読み出して実行することができ、利用者は再度原稿読み取りのための操作を行う必要がないので、操作性が向上する。
【００３６】
また本実施形態の画像形成装置１は、利用者が残金不足の電子マネー端末に対して直ちに電子マネーをチャージすることができない状況であっても、その利用者が最初にかざした電子マネー端末とは別の電子マネー端末を所持している場合には、その別の電子マネー端末によって決済処理を行うことができるように構成されている。つまり、画像形成装置１は、最初にかざされた電子マネー端末の識別情報に基づいてジョブ情報を特定し、そのジョブ情報に基づくジョブの実行に要する金額を別の電子マネー端末で決済処理してからジョブの実行を開始する。以下、このような画像形成装置１についてさらに詳しく説明する。
【００３７】
図５乃至図９は、画像形成装置１における処理手順の一例を示すフローチャートである。尚、以下の説明では、電子マネー端末２０がＩＣカード２０ａである場合を例示するが、電子マネー端末２０が携帯電話機２０ｂやその他の端末である場合であっても後述する処理が変わるものではない。
【００３８】
利用者は操作パネル４を操作してジョブの設定を行った後、スタートキー３２を押下することによって画像形成装置１にジョブの実行を指示する。また既に原稿の読み取りを行っている場合には、ＩＣカード２０ａ（電子マネー端末）を電子マネー情報読取装置８の読取部８ａにかざすことにより画像形成装置１に対して保存されているジョブの実行を指示する。そのため、画像形成装置１は、図５に示すフローチャートの処理を開始すると、利用者によってジョブの実行指示が与えられたか否かを判断し（ステップＳ１０）、ジョブの実行指示がない場合（ＮＯの場合）には、さらに利用者が電子マネー情報読取装置８に対してＩＣカードをかざしたか否かを判断する（ステップＳ１２）。利用者によるジョブの実行指示がなく、またＩＣカードもかざされていない場合には（ステップＳ１２でＮＯ）、ステップＳ１０に戻り、画像形成装置１は、利用者によっていずれかの操作が行われるのを待機する状態となる。
【００３９】
利用者がスタートキー３２を押下してジョブの実行指示を行った場合、ステップＳ１０でＹＥＳとなり、画像形成装置１において第１ジョブ実行処理が行われる（ステップＳ１１）。図６は、この第１ジョブ実行処理の詳細を示すフローチャートである。第１ジョブ実行処理が開始すると、画像形成装置１ではジョブ制御部１１の制御により画像読取部が作動し、原稿の読み取り動作が行われる（ステップＳ２０）。この原稿読み取り動作では、ＡＤＦ３にセットされた全ての原稿の読み取りが完了するまで行われる。全ての原稿の読み取り動作が完了すると、金額計算部１２が、ジョブの設定情報に基づいて出力枚数を計算する（ステップＳ２１）。そして金額計算部１２は、その算出した出力枚数と、印刷モード毎に予め設定されている課金単価とに基づいてジョブを実行するのに要する金額を計算する（ステップＳ２２）。
【００４０】
ジョブを実行するのに要する金額が算出されると、操作パネル４の表示部４ａには、図１０に示すような画面が表示される。つまり、この画面では、画像形成装置１の利用者に対し、ジョブの実行に要する金額の表示が行われると共に、決算処理のために利用者が所持しているＩＣカードを電子マネー情報読取装置８にかざすことを促す表示が行われる。このような表示が行われると、画像形成装置１は、利用者が電子マネー情報読取装置８の読取部８ａにＩＣカードをかざしたか否かを判断する（ステップＳ２４）。ここでは所定時間が経過するまで電子マネー情報読取装置８が電子マネー情報を読み取ったか否かを監視する。その所定時間の間に利用者がＩＣカードを提示せず、電子マネー情報読取装置８が電子マネー情報を読み取ることができなかった場合には、ステップＳ２５に進み、原稿を読み取った画像データを全て削除し、現在実行中のジョブを破棄して処理を終了する（ステップＳ２５）。
【００４１】
これに対し、所定時間の間に利用者がＩＣカードを提示した場合（ステップＳ２４でＹＥＳ）、電子マネー情報読取装置８はそのＩＣカードに記録されている電子マネー情報を読み取り、画像形成装置１に出力する（ステップＳ２６）。このとき、利用者によって提示されているＩＣカードの識別情報と、電子マネーの残金情報の取得が行われる。
【００４２】
そして画像形成装置１では決済処理部１３が機能し、決済処理を行う。このとき、決済処理部１３はサーバ装置５０との通信を行うことにより、利用者が提示したＩＣカードが適正なカードであるか否かの判断を行うが、これについての手順は図示を省略しており、以下の処理は適正なカードであった場合に行われる。
【００４３】
決済処理部１３は、利用者が提示したＩＣカードに記録されている電子マネーの残金が金額計算部１２によって算出された金額以上であるか否かを判断する（ステップＳ２７）。そして残金が算出金額以上である場合（ステップＳ２７でＹＥＳ）、決済処理部１３は、利用者が提示しているＩＣカードから算出金額分の電子マネーを引き落とすことにより、決済処理を行う（ステップＳ２８）。そして決済処理が正常に完了すると、ジョブ制御部１１が画像形成部を作動させることにより、印刷動作を開始する（ステップＳ２９）。そして利用者によって指定されたジョブ（この場合は、コピージョブ）を完了させ、処理を終了する。
【００４４】
一方、提示されたＩＣカードの残金が算出金額未満であった場合（ステップＳ２７でＮＯ）、画像形成装置１は印刷処理を開始せず、提示されたＩＣカードから読み取った識別情報１７と現在のジョブのジョブ情報１８とを互いに関連づけて記憶部１６に記憶して保存する（ステップＳ３０）。このとき保存されるジョブ情報１８には、原稿を読み取った画像データや、ジョブを実行するための金額などの情報も含まれる。そして画像形成装置は、操作パネル４の表示部４ａに対して図１１に示すようなエラー画面を表示する（ステップＳ３１）。この画面では、画像形成装置１の利用者に対し、ジョブを保存したことを示す表示が行われると共に、提示されたＩＣカードは電子マネーのチャージが必要であることを示す表示が行われる。そして利用者は、図１１のような画面に表示されるＯＫボタンを操作することにより、この処理は終了する。そして操作パネルの表示部４ａは初期画面に戻り、次の利用者が画像形成装置１を利用できる状態となる。
【００４５】
図５に戻り、ステップＳ１０でＮＯとなり、さらにステップＳ１２でＮＯとなるループ処理中に、利用者が電子マネー情報読取装置８にＩＣカードを提示してかざした場合、ステップＳ１２でＹＥＳとなり、電子マネー情報読取装置８はそのＩＣカードに記録されている電子マネー情報を読み取り、画像形成装置１に出力する（ステップＳ１３）。これにより、画像形成装置１は、利用者によって提示されているＩＣカードの識別情報と、電子マネーの残金情報とを取得する。
【００４６】
そして画像形成装置１は、取得したＩＣカードの識別情報に基づいて記憶部１６内を検索し、該識別情報に関連づけられたジョブ情報１８が格納されているか否かを調べる（ステップＳ１４）。つまり、記憶部１６に記憶されている識別情報１７の中に、利用者が提示したＩＣカードの識別情報と一致するものが存在するか否かを調べ、存在する場合にはその識別情報１７に関連づけられたジョブ情報１８が存在するか否かを調べる。
【００４７】
その結果、利用者が提示したＩＣカードの識別情報に関連づけられたジョブ情報１８が存在する場合には、ステップＳ１５でＹＥＳとなり、第２ジョブ実行処理を行う（ステップＳ１６）。これに対し、ジョブ情報１８が保存されていない場合には、ステップＳ１０に戻る。
【００４８】
またステップＳ１５において利用者が提示したＩＣカードの識別情報に関連づけられた複数のジョブ情報１８が存在する場合、画像形成装置１は、操作パネル４の表示部４ａにジョブの選択画面を表示し、利用者に複数のジョブのうちから実行すべきジョブの選択入力を受け付ける。図１２は、この場合のジョブ選択画面の一例を示す図である。図例では、利用者が提示したＩＣカードの識別情報に関連づけられてジョブＩＤが「１２３４」と「１２３５」の２つのジョブが記憶されている場合を例示している。このような選択画面が表示されると、利用者は画像形成装置１に実行させる一のジョブを選択した状態で画面内のＯＫボタンを押すことで、ジョブの選択操作を行う。画像形成装置１は、操作パネル４からの選択入力に基づいて記憶部１６に記憶されている複数のジョブ情報１８のうちから実行すべき一のジョブ情報１８を特定し、第２ジョブ実行処理（ステップＳ１６）へと移行する。尚、ＩＣカードの識別情報に関連づけられたジョブ情報１８がひとつである場合には、そのひとつのジョブ情報１８が実行すべきジョブとして特定されるので、図１２のような選択画面は表示されず、そのまま第２ジョブ実行処理（ステップＳ１６）へと移行する。
【００４９】
図７は、第２ジョブ実行処理（ステップＳ１６）の詳細を示すフローチャートである。第２ジョブ実行処理が開始すると、画像形成装置１ではジョブ制御部１１が機能し、提示されたＩＣカードと関連するジョブ情報１８であって、実行すべきジョブとして特定されたジョブ情報１８を記憶部１６から読み出して取得する（ステップＳ４０）。ジョブ制御部１１は読み出したジョブ情報１８に含まれる金額の情報を読み出し（ステップＳ４１）、決済処理部１３に出力する。決済処理部１３は、ジョブ制御部１１からジョブを実行するための金額の情報を入力すると、電子マネー情報読取装置８から入力したＩＣカードの残金がその入力した金額以上であるか否かを判断する（ステップＳ４２）。そして残金が算出金額以上である場合（ステップＳ４２でＹＥＳ）、決済処理部１３は、利用者が提示しているＩＣカードからジョブ実行に要する金額分の電子マネーを引き落とすことにより、決済処理を行う（ステップＳ４３）。そして決済処理が正常に完了すると、ジョブ制御部１１が画像形成部を作動させることにより、印刷動作を開始する（ステップＳ４４）。つまり、この場合、利用者は前回残金不足であったＩＣカードに電子マネーをチャージすることができたこととなり、画像形成装置１は、そのチャージされたＩＣカードで決済処理を行ってから、記憶部１６に保存してあったジョブ情報１８に基づいてジョブを実行する。そして利用者によって指定されたジョブ（この場合は、コピージョブ）を完了させ、処理を終了する。このとき、利用者は、再度、原稿読み取りを行うための操作やジョブの設定操作などを行う必要がないので、操作性に優れ、使い勝手の良い画像形成装置１が実現される。
【００５０】
一方、提示されたＩＣカードの残金がジョブ実行に要する金額未満であった場合（ステップＳ４２でＮＯ）、画像形成装置１は操作パネル４の表示部４ａに対して案内画面を表示する（ステップＳ４５）。つまり、この場合、利用者は前回残金不足であったＩＣカードに対して新たな電子マネーをチャージすることができなかったこととなるので、画像形成装置１は、他のＩＣカードでの決済処理を試みるべく操作パネル４の表示画面を切り替える。図１３は、この案内画面の一例を示す図である。図１３に示すように、この案内画面には、提示されたＩＣカードの残金が不足していることを示す表示と、利用者に対して他のＩＣカードをかざすことを促す表示とが含まれる。このような案内画面が表示されると、利用者は画面内のＯＫボタンを押し、先にかざしたＩＣカードとは異なるＩＣカードを電子マネー情報読取装置８にかざすことで他のカードからの決済処理を行うための処理に進む。
【００５１】
図１３に示す案内画面には、カード変更ボタンが表示されている。このカード変更ボタンは、画像形成装置１の記憶部１６に保存されているジョブ情報１８を別のＩＣカードの識別情報に変更して関連づけるためのボタンである。例えば利用者が残金の十分なＩＣカードを所持していない場合でも、カード変更ボタンを押下すれば、ジョブ情報１８を関連づけるＩＣカードの識別情報を別のＩＣカードの識別情報に変更することができる。
【００５２】
上記のような案内画面の表示が行われると、画像形成装置１は、利用者がＯＫボタンを押してから電子マネー情報読取装置８の読取部８ａにＩＣカードをかざしたか否かを判断する（ステップＳ４６）。そして利用者がＩＣカードを提示した場合（ステップＳ４６でＹＥＳ）、電子マネー情報読取装置８はそのＩＣカードに記録されている電子マネー情報を読み取り、画像形成装置１に出力する（ステップＳ４７）。このとき、利用者によって提示されているＩＣカードの識別情報と、電子マネーの残金情報の取得が行われる。またこのとき、利用者によって複数のＩＣカードが提示されている場合は、それら複数のＩＣカードのそれぞれから識別情報と残金情報の読み取りが行われる。
【００５３】
そして画像形成装置１では決済処理部１３が機能し、決済処理を行う。このときもまた、決済処理部１３はサーバ装置５０との通信を行うことにより、利用者が提示したＩＣカードが適正なカードであるか否かの判断を行うが、これについての手順は図示を省略しており、以下の処理は適正なカードであった場合に行われる。
【００５４】
決済処理部１３は、利用者が提示したＩＣカードに記録されている電子マネーの残金がジョブ実行のために算出された金額以上であるか否かを判断する（ステップＳ４８）。例えば、利用者が複数のＩＣカードを提示していた場合には、それら複数のＩＣカードの残金の合計額がジョブ実行のために必要となる金額以上であるか否かを判断する。ここで、残金がジョブ実行に要する金額未満であった場合（ステップＳ４８でＮＯ）、画像形成装置１は、さらに別のＩＣカードが電子マネー情報読取装置８にかざされるのを一定時間待つためにステップＳ４６に戻る。これに対し、残金がジョブ実行に要する金額以上であった場合（ステップＳ４８でＹＥＳ）、画像形成装置１は、他のカードからの決済処理を行う（ステップＳ４９）。
【００５５】
図８は、他のカードからの決済処理（ステップＳ４９）の詳細を示すフローチャートである。尚、この処理は、主として決済処理部１３によって行われる。この処理が開始されると、決済処理部１３は、利用者が現在電子マネー情報読取装置８にかざしているＩＣカードが複数枚であるか否かを判断する（ステップＳ６０）。そして利用者が提示しているＩＣカードの枚数が１枚である場合（ステップＳ６０でＮＯ）、決済処理部１３は、現在提示されている１枚のＩＣカードからジョブ実行のために算出された金額分の電子マネーを引き落とすことにより決済処理を行う（ステップＳ６１）。これに対し、利用者が複数のＩＣカードを提示している場合（ステップＳ６０でＹＥＳ）、画像形成装置１は、操作パネル４の表示部４ａに複数のＩＣカードの残金情報を表示する（ステップＳ６２）。そして利用者が操作パネル４を操作することによるＩＣカード毎の決済額の入力受け付けを行う（ステップＳ６３）。
【００５６】
図１４は、このとき操作パネル４の表示部４ａに表示されるＩＣカードの残金情報表示画面の一例を示す図である。図例では、利用者が提示したＩＣカードが２枚であり、１枚目のＩＣカードには２０００円分の電子マネー残金があり、２枚目のＩＣカードには１０００円分の電子マネー残金がある場合を示している。尚、この画面には、さらに実行するジョブのジョブＩＤや、そのジョブを実行するのに要する金額なども表示される。このような画面が表示されると、利用者は、複数のＩＣカードのうちから一のＩＣカードを選択しながら支払い金額を設定していくことで、ＩＣカード毎に支払い金額を設定することができる。図例の場合、利用者の設定操作により、１枚目のＩＣカードによる支払い金額が１００円、２枚目のＩＣカードによる支払金額が６０円として設定されたことを示している。ステップＳ６３では、このような利用者による設定操作が受け付けられ、決済処理部１３に入力する。
【００５７】
そして決済処理部１３は、各ＩＣカードについて設定された決済額（支払い金額）に基づいてＩＣカード毎に決済処理を行う（ステップＳ６４）。
【００５８】
ステップＳ６１又はＳ６４での決済処理が正常に完了すると、他のカードからの決済処理（ステップＳ４９）が終了し、次に図７のフローチャートのステップＳ４４に進む。そしてジョブ制御部１１が画像形成部を作動させることにより、印刷動作を開始する（ステップＳ４４）。これにより、利用者が前回残金不足であったＩＣカードに電子マネーをチャージすることができなかった場合でも、画像形成装置１は、先に提示されたＩＣカードとは異なる他のＩＣカードで決済処理を行ってから、記憶部１６に保存してあったジョブ情報１８に基づいてジョブを実行する。そして利用者によって指定されたジョブ（この場合は、コピージョブ）を完了させ、処理を終了する。またこの場合においても、利用者は、再度、原稿読み取りを行うための操作やジョブの設定操作などを行う必要がないので、操作性に優れ、使い勝手の良い画像形成装置１が実現される。
【００５９】
一方、ステップＳ４５で操作パネル４に表示される案内画面（図１３参照）において、利用者がＯＫボタンを押下しなかった場合（ステップＳ４６でＮＯ）、画像形成装置１は、利用者がカード変更ボタンを押したか否かを判断する（ステップＳ５０）。そしてカード変更ボタンも操作されなかった場合（ステップＳ５０でＮＯ）は、何も行うことなく処理を終了する。これに対し、利用者がカード変更ボタンを押下した場合（ステップＳ５０でＹＥＳ）、画像形成装置１は、カード変更処理を実行する（ステップＳ５１）。
【００６０】
図９は、カード変更処理（ステップＳ５１）の詳細を示すフローチャートである。利用者によってカード変更ボタンが押されると、画像形成装置１は、操作パネル４の表示部４ａにカード変更時の操作案内画面を表示する（ステップＳ７０）。図１５は、この場合の操作案内画面の一例を示す図である。図例では、保存しているジョブに関連づけるＩＣカードを変更する旨の表示と、別のＩＣカードをかざすことを促す表示とが行われる例を示している。このような画面が表示されると、利用者は、先のＩＣカードとは異なるＩＣカードをかざせば、ジョブに関連づけるＩＣカードを変更することができることを把握できる。そのため、利用者は、別のＩＣカードを電子マネー情報読取装置８にかざし、画面内のＯＫボタンを押下する。
【００６１】
利用者がＯＫボタンを押下すると、電子マネー情報読取装置８が読取部８ａに提示されているＩＣカードの電子マネー情報を読み取り、画像形成装置１に出力する（ステップＳ７１）。このとき、画像形成装置１は、利用者によって提示されているＩＣカードの識別情報を取得する。そしてジョブ制御部１１は、記憶部１６に保存しているジョブ情報１８に関連づけられた識別情報１７を、ステップＳ７０で取得した識別情報に書き換える。そして書き換えた識別情報１７とジョブ情報１８とを関連づけて記憶部１６に保存する（ステップＳ７２）。以上で、カード変更処理が終了する。このようなカード変更処理により、画像形成装置１に保存されているジョブ情報１８を別のＩＣカードの識別情報１７に関連づけて保存することができるようになる。
【００６２】
以上のように本実施形態の画像形成装置１は、電子マネーを記録した電子マネー端末２０と非接触で電子マネー情報の送受信を行う電子マネー情報読取装置８と、利用者によって指定されたジョブの実行を制御するジョブ制御部１１と、ジョブ制御部１１が指定されたジョブを実行する際に利用者に対して課金すべき金額を計算する金額計算部１２と、金額計算部１２で計算された金額に基づき、電子マネー情報読取装置８を介して電子マネー端末２０に記録されている電子マネーでの決済処理を行い、ジョブ制御部１１にジョブの実行を行わせる決済処理部１３とを備えている。そして決済処理部１３は、電子マネー情報読取装置８が先に読み取った電子マネー端末の残金が金額計算部１２で計算された金額に満たない場合、別の電子マネー端末での決済処理を行ってからジョブ制御部１１に指定されたジョブの実行を開始させるように構成されている。そのため、利用者が先に提示した電子マネー端末が残金不足であっても、他の電子マネー端末に十分な残金がある場合には、先の電子マネー端末に代えて他の電子マネー端末で決算処理を行うことができるようになる。そして他の電子マネー端末で決済処理を行うことができた場合には、あらたに印刷モードの設定や原稿の全ページの読み取りを行うための操作を行う必要はなく、画像形成装置１を利用する際の操作性や利便性が向上する。
【００６３】
また本実施形態の画像形成装置１は、電子マネー情報読取装置８が先に読み取った電子マネー端末の残金が金額計算部１２で計算された金額に満たない場合、当該電子マネー端末の識別情報に関連づけてジョブを記憶部１６に記憶することで、実行中のジョブを保存するように構成されている。それ故、利用者が残金不足の電子マネー端末に電子マネーをチャージするために画像形成装置１から離れた場合であっても、画像形成装置１はその実行途中のジョブを保持し続けることができると共に、利用者が画像形成装置１から離れている間は、他の利用者が画像形成装置１を使用することができる状態とすることができる。
【００６４】
そして利用者が残金不足の電子マネー端末に電子マネーをチャージして帰ってきたときには、利用者がチャージ後の電子マネー端末を電子マネー情報読取装置８にかざすことにより、画像形成装置１が保存していたジョブを自動で読み出して実行するので、画像形成装置１を利用する際の操作性や利便性が向上する。
【００６５】
また利用者が残金不足の電子マネー端末にあらたな電子マネーをチャージしない場合でも、他の電子マネー端末を所持している場合には、先にかざした電子マネー端末を再び電子マネー情報読取装置８にかざすことにより、画像形成装置１は保存されたジョブの読み出しを行い、次に他の電子マネー端末をかざすことにより、画像形成装置１は後にかざされている他の電子マネー端末により決済処理を行い、読み出したジョブの実行を開始する。このときもまた、利用者があらたに印刷モードの設定や原稿の全ページの読み取りを行うための操作を行う必要はないので、画像形成装置１を利用する際の操作性や利便性が向上する。
【００６６】
さらに、決済処理部１３が決済処理を行う際、先に提示された電子マネー端末とは異なる別の電子マネー端末が複数存在する場合、電子マネー端末毎の決済額を設定し、複数の電子マネー端末のそれぞれから設定された決済額の決済処理を行うように構成されている。そのため、例えば割り勘決済なども可能となり、複数の利用者が一つのジョブを実行させようとする場合でも、各利用者の所持する電子マネー端末に対して個別に決済処理を行うことができる。
【００６７】
以上、本発明に関する一実施形態について説明したが、本発明は上述した内容に限定されるものではない。例えば、上記実施形態では、画像形成装置１で実行するジョブの一例としてコピージョブの場合を説明したが、上述した画像形成装置１で実行可能なジョブとしては、上述のコピージョブの他にも、例えばプリントジョブ、スキャンジョブ、ＦＡＸ送信ジョブなどがある。そして上述した決済処理の方法は、プリントジョブ、スキャンジョブ、ＦＡＸ送信ジョブなどの他のジョブであっても適用可能である。すなわち、ＩＣカードや携帯電話機などのような非接触読み取り式の電子マネー端末はそれ単体では電子マネーの残高を利用者がその場で確認することができない、或いは確認しづらいという事情があり、利用者は、画像形成装置１に対して指定したジョブの実行を行わせるための決済処理の段階になってはじめて電子マネー端末の残高不足に気づくこともある。このような場合、画像形成装置１で実行するジョブがどのようなジョブであったとしても、上述した決済処理の方法を適用することにより、利用者のかざした電子マネー端末が残金不足であっても他の電子マネー端末で決済処理を行うことができるので、利用者はジョブの設定操作などをあらためて行う必要がなくなり、画像形成装置１を利用する際の操作性や利便性が向上する。
【符号の説明】
【００６８】
１  画像形成装置
４  操作パネル
８  電子マネー情報読取装置（電子マネー情報読取手段）
１０  全体制御部
１１  ジョブ制御部（ジョブ制御手段）
１２  金額計算部（金額計算手段）
１３  決済処理部（決済処理手段）
１６  記憶部（記憶手段）
２０  電子マネー端末
【図１】
2010170443.tif 000003
【図２】
2010170443.tif 000004
【図３】
2010170443.tif 000005
【図４】
2010170443.tif 000006
【図５】
2010170443.tif 000007
【図６】
2010170443.tif 000008
【図７】
2010170443.tif 000009
【図８】
2010170443.tif 000010
【図９】
2010170443.tif 000011
【図１０】
2010170443.tif 000012
【図１１】
2010170443.tif 000013
【図１２】
2010170443.tif 000014
【図１３】
2010170443.tif 000015
【図１４】
2010170443.tif 000016
【図１５】
2010170443.tif 000017